(57)【特許請求の範囲】
【請求項１】
被取付面に取り付けられる器具本体と、前記器具本体に装着される発光ユニットとを備えた照明器具を複数連結させて成る連結用照明装置であって、
前記複数の照明器具に跨って取り付けられて前記複数の照明器具を連結させる連結治具を更に備え、
前記連結治具は、前記複数の器具本体に跨る治具本体と、前記治具本体から前記器具本体側へ向けて延びる係止部とから成り、前記係止部が前記器具本体に設けられた嵌合孔に挿入されて前記複数の照明器具を連結させ、
前記器具本体は、上面に前記器具本体の長手方向に延びる一対の長方形状の前記嵌合孔が形成され、
複数の前記器具本体を一方の前記器具本体の長手方向における端面と他方の前記器具本体の長手方向における側面とを対向させて配置させた場合において、
前記連結治具は、長方形状に形成された前記治具本体において、長辺側の一方端を略コの字状に延出して形成された２つの係止部と、長辺側の他方端の短辺をＬ字状に延出して形成された１つの係止部を有し、
前記長辺側の他方端の短辺をＬ字状に延出して形成された１つの係止部が、前記長手方向における端面を前記他方の器具本体の側面に対向させた前記一方の器具本体から見て、前記他方の器具本体の前記一対の長方形状の前記嵌合孔のうち、遠い位置にある奥側の嵌合孔に挿入されることを特徴とする連結用照明装置。
【請求項２】
請求項１に記載された連結用照明装置であって、前記照明器具が、ＬＥＤ照明器具であることを特徴とする連結用照明装置。
【発明の詳細な説明】
【技術分野】
【０００１】
本発明は、複数の照明器具の器具本体を連結して天井面等に直接取り付ける連結用照明装置の改良に関し、特に器具本体の設置位置のずれを防止することに関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井埋め込み型のダウンライトや、天井直付け型のシーリングライトにおいても、ＬＥＤ素子を使用した照明装置が開発され、市場に導入されてきている。
【０００３】
この天井直付けダウンライトは、例えば、複数の光源ユニットを連結することによって、要求される照明器具を簡単・確実に製造することが検討されている（例えば、特許文献１等参照）。
【０００４】
この特許文献１に記載されている光源ユニットは、複数の光源部を備える光源ユニットで、複数の光源部の各光源部は、他の光源部と物理的に連結される連結部位と、連結部位以外の非連結部位と、他の光源部と電気的に接続するための電気コネクタであって、非連結部位に設置される電気コネクタとを備えるので、光源部間の物理的接続及び電気的接続に関し、意匠性を損ねることなく簡単・確実に行うことができる光源ユニットを備える照明器具を提供するものである。
【０００５】
また、器具本体と、枠体とを有する照明器具が複数連結されて構成されている、連結用照明器具も検討されている（例えば、特許文献２等参照）。
【０００６】
この特許文献２に記載されている連結用照明器具は、Ｖ字ばねにより、枠体を隣接する中央側の枠体と当接し、連結された部分の枠体間に隙間が生じにくく見栄えの良い連結用照明器具を提供するものである。
【０００７】
このように、天井面等に複数の照明器具を固定する場合には、ＬＥＤ基板に搭載されたＬＥＤ同士の距離を等しくして、均一に光を照射するために、器具本体の位置関係を正確設置することが要求されているが、この特許文献１や２に記載されている照明器具においては、複数の器具本体を正確に設置することは困難で、簡単に照明器具を取り付けることが困難となる問題が生じていた。
【先行技術文献】
【特許文献】
【０００８】
【特許文献１】特開２０１１−２３２２７号公報
【特許文献２】特許第３５３８９６４号公報
【発明の概要】
【発明が解決しようとする課題】
【０００９】
本発明が解決しようとする課題は、上記の問題点に鑑み、複数の照明器具を連結する場合に、各照明器具の位置関係を正確に確定して、天井面に簡単に、かつ適正に取り付けることができると共に、施工の工数を削減でき、光を均一に照射することができる連結用照明装置を提供することにある。
【課題を解決するための手段】
【００１０】
上記の課題を解決するために、本発明は、位置関係を正確にするために、器具本体に連結治具を挿入したものである。
【００１１】
具体的には、本発明は、上記の課題を解決するための第１の手段として、被取付面に取り付けられる器具本体と、この器具本体に装着される発光ユニットとを備えた照明器具を複数連結させて成る連結用照明装置であって、複数の照明器具に跨って取り付けられて複数の照明器具を連結させる連結治具を更に備え、この連結治具は、複数の器具本体に跨る治具本体と、この治具本体から器具本体側へ向けて延びる係止部とから成り、この係止部が器具本体に設けられた嵌合孔に挿入されて複数の照明器具を連結させ、器具本体は、上面に器具本体の長手方向に延びる一対の長方形状の嵌合孔が形成され、複数の器具本体を一方の器具本体の長手方向における端面と他方の器具本体の長手方向における側面とを対向させて配置させた場合において、連結治具は、長方形状に形成された治具本体において、長辺側の一方端を略コの字状に延出して形成された２つの係止部と、長辺側の他方端の短辺をＬ字状に延出して形成された１つの係止部を有し、長辺側の他方端の短辺をＬ字状に延出して形成された１つの係止部が、長手方向における端面を他方の器具本体の側面に対向させた一方の器具本体から見て、他方の器具本体の一対の長方形状の嵌合孔のうち、遠い位置にある奥側の嵌合孔に挿入されることを特徴とする連結用照明装置を提供するものである。
【００１２】
本発明は、上記の課題を解決するための第２の手段として、上記第１の解決手段において、照明器具が、ＬＥＤ照明器具であることを特徴とする連結用照明装置を提供するものである。
【発明の効果】
【００１３】
本発明によれば、上記のように複数の照明器具を連結する場合において、複数の照明器具に跨って取り付けられて複数の照明器具を連結させる連結治具を用いているため、各照明器具の位置関係を正確に確定することができるので、天井面に簡単に、かつ適正に取り付けることができると共に、施工の工数を削減でき、光を均一に照射することができる実益がある。
【００１４】
また、本発明によれば、上記のように、器具本体は、上面に器具本体の長手方向に延びる一対の長方形状の嵌合孔が形成され、この一対の長方形状の嵌合孔は、直列接続パターン用の長方形状に形成された治具本体において長辺側の短辺寄りの両端から略コの字状に延出するようにして形成された４つの係止部を有する連結治具の４つの係止部が嵌合することができる一方、コーナー接続パターン用の連結治具は、長方形状に形成された治具本体において、長辺側の一方端を略コの字状に延出して形成された２つの係止部と、長辺側の他方端の短辺をＬ字状に延出して形成された１つの係止部を有し、複数の器具本体を一方の器具本体の長手方向における端面と他方の器具本体の長手方向における側面とを対向させて配置させた場合において、長辺側の他方端の短辺をＬ字状に延出して形成された１つの係止部が、長手方向における端面を他方の器具本体の側面に対向させた一方の器具本体から見て、他方の器具本体の一対の長方形状の嵌合孔のうち、遠い位置にある奥側の嵌合孔に挿入されるため、嵌合孔が形成された照明器具は、単に器具本体の配列を変えるだけで、１つの形態で、器具本体の長手方向における端面同士を対向させて配置する直列接続パターンと、一方の器具本体の長手方向における端面と他方の器具本体の長手方向における側面とを対向させて配置するコーナー接続パターンのどちらの連結パターンにも対応することができる実益がある。
【図面の簡単な説明】
【００１５】
【図１】本発明の連結用照明装置の連結された外観斜視図である。
【図２】本発明の連結用照明装置の連結部分の拡大斜視図である。
【図３】本発明の連結用照明装置の分解斜視図である。
【図４】本発明の連結用照明装置の縦断面図である。
【発明を実施するための形態】
【００１６】
以下に本発明の好適な実施の形態について、図面を参照しながら詳細に説明する。なお本実施形態は一例であり、これに限定されるものではない。
【００１７】
図１乃至図４は、本実施形態に係わる連結用照明装置１００を示し、この連結用照明装置１００は、図１乃至図４に示すように、被取付面である天井面８に取り付けられる器具本体１と、この器具本体１に装着される発光ユニット２とを備えた照明器具１０を複数連結させて成っている。この連結用照明装置１００は、図１乃至図４に示すように、天井面８から出ている吊りボルト６に器具本体１が下方に開口してナット７で止められ、器具本体１に発光ユニット２が開放側から着脱自在に装着される。器具本体１に、外部電源線（Ｆケーブル）５が接続され、連結用照明装置１００はコーニス照明として使用可能となる。
【００１８】
（１．器具本体）  
器具本体１は、ステンレス板を使用して、打抜加工、プレス加工、折曲加工によって作成されて、塗装されている。図１、図３及び図４に示すように、器具本体１は直方体で一方が開口された形状で、中心部に円形の電源用孔１３が開口し、電源用孔１３と両端部の間に取付け孔１４が２ヶ所形成されている。また、器具本体１の開放側反対面の天井面８に接する面に、複数の凸部を設けて天井面８の凹凸を吸収する構造となっている。
【００１９】
この器具本体１は、図１乃至図４に示すように、天井面８から出ている吊りボルト６に取付け孔１４を挿入して、ナット７により天井面８に仮止めされる。さらに、天井面８から出ている外部電源線５を器具本体１の電源用孔１３を通して器具本体１の内側に引き込んで、器具本体１の送り端子付速結端子１１に挿入して接続される。なお、器具本体１の内部側壁には、図３に示すように、発光ユニット２を開口側で装着させるためのＶ字ばね３０を挟持する一対の係止片１２を２組設けられている。
【００２０】
また、器具本体１には、図１及び図２に示すように、後述する連結治具４の係止部４３、４４が挿入される嵌合孔１５が形成されている。この嵌合孔１５は、図１及び図２に示すように、器具本体１の上面において器具本体１の長手方向に延びる一対の長方形状に形成されている。また、嵌合孔１５は、図１及び図２に示すように、隣り合う他の照明器具１０の端面又は側面付近に位置する器具本体１の長手方向における両端部に設けられている。
【００２１】
（２．発光ユニット）
発光ユニット２は、図３及び図４に示すように、光源２６が搭載されている略長方形状である光源基板２４の裏面を放熱板２３の下方に設置し、放熱板２３の上方に光源用の電源回路２８を設置し、光源２６を覆うように透光性カバー２１と放熱板２３を一体化し、透光性カバー２１の上面に器具本体１と装着するためのＶ字ばね３０とＶ字ばね固定部品３１が配設されている。
【００２２】
光源基板２４は、片面に銅箔が貼られたガラスコンポジット基板（ＣＥＭ−３）から成り、片側に光源２６と電子部品とが実装されている。放熱板２３は、アルミを使用して、押出成形による一体成形で作成されている。器具本体１の送り端子付速結端子１１から、電源線を電源回路２８に結線し、電源回路２８の出力を光源基板２４に結線することにより、連結用照明器具１０を構成する。
【００２３】
透光性カバー２１は、ポリカーボネートを使用して、断面が略ロ字形状に押出成形により成形されている。透光性カバー２１の端部を、端部透光性カバー２２で覆うことにより、透光性カバー２１で反射された光が拡散反射され、これが繰り返されて、端部透光性カバー２２まで光が達する。これによって、透光性カバー２１と端部透光性カバー２２の全面を光らせることができ、光源として均一に光を照射することができる。
【００２４】
また、透光性カバーの両端部に設置される端部透光性カバー２２の厚さは、透光性カバーの両端部と接する部分を、他の部分より薄くしていることにより、透光性カバー２１と端部透光性カバー２２の全面において、光源からの光を均一に照射することが可能となっている。
【００２５】
（３．連結治具）
本発明の連結用照明装置１００は、図１及び図２に示すように、複数の照明器具１０に跨って取り付けられて、これらの複数の照明器具１０を相互に連結させる連結治具４を更に備えている。
【００２６】
この連結治具４は、特に図２に示すように、複数の器具本体１に跨る治具本体４１、４２と、この治具本体４１、４２から器具本体１側へ向けて延びる係止部４３、４４とから成り、図１及び図２に示すように、この係止部４３、４４が器具本体１に設けられた嵌合孔１５に挿入されて複数の照明器具１０を相互に連結させる。この連結治具４は、具体的には、例えば、ステンレス板を、打抜加工、プレス加工、折曲加工等することにより形成することができ、図２に示すように、嵌合孔１５に対応する位置及び形状に係止部４３、４４が形成される。
【００２７】
この連結治具４としては、相互に連結する照明器具１０の形態によって、複数の実施の形態が考えられる。具体的には、第１の形態として、図２（Ａ）〜（Ｃ）に示すように、複数の器具本体１を、器具本体１の長手方向における端面同士を対向させて配置する直列接続パターンを挙げることができる。この第１の形態である直列接続パターンにおいては、連結治具４は、図２（Ａ）〜（Ｃ）に示すように、隣り合う２つの器具本体１を長手方向における端面同士を対向させて配置した場合における各々の嵌合孔１５の位置及び形状に対応して、長方形状に形成された治具本体４１において、長辺側の短辺寄りの両端から略コの字状に延出するようにして形成された４つの係止部４３を有する。
【００２８】
また、第２の形態として、図２（Ｄ）に示すように、一方の器具本体１の長手方向における端面と他方の器具本体１の長手方向における側面とを対向させて配置する、コーナー接続パターンを挙げることができる。この第２の形態であるコーナー接続パターンにおいては、連結治具４は、図２（Ｄ）に示すように、隣り合う２つの器具本体１を一方の器具本体１の長手方向における端面と他方の器具本体１の長手方向における側面とを対向させて配置した場合における各々の嵌合孔１５の位置及び形状に対応して、長方形状に形成された治具本体４２において、長辺側の一方端を略コの字状に延出して形成された２つの係止部４３と、長辺側の他方端の短辺をＬ字状に延出して形成された１つの係止部４４を有する。
【００２９】
本発明の連結用照明装置１００においては、図２に示す、これらの直列接続とコーナー接続との２つの形態を組み合わせることにより、図１に示すように、連結用照明装置１００による照明システムを構成することが、可能となっている。この場合、照明器具１０の器具本体１に形成される嵌合孔１５は、図２に示すように、単に器具本体１の配列を変えるだけで、１つの形態で、どちらの連結パターンにも対応することができる。
【００３０】
（４．連結）
これらの連結治具４を用いて、複数の照明器具１０を連結させるためには、第１の形態である直列接続パターンの場合は、図２（Ａ）〜（Ｃ）に示すように、相互に連結する器具本体１を天井面８等への連結面を上に並べて、連結する器具本体１の両端に設けられている全ての嵌合孔１５へ連結治具４の係止部４３を上面から挿入することにより、一体化する。
【００３１】
一方、第２の形態であるコーナー接続パターンの場合は、図２（Ｄ）に示すように、連結する器具本体１を天井面８等への連結面を上に並べて、接続する器具本体１の両端に設けられている嵌合孔１５へ連結治具４の係止部４３と係止部４４を上面から挿入することにより、一体化する。この場合、短辺側に形成された係止部４４は、図２（Ｄ）に示すように、他方の器具本体１から見て遠い位置にある奥側の嵌合孔１５に挿入される。
【００３２】
連結用照明装置１００として光を均一に照射するためには、一体化された器具本体１の間隔を、等間隔にすることが求められている。また、器具本体１と透光性カバー２１の光出射に係わる温度による伸縮が大きく異なるので、温度による伸縮を考慮すると１ｍｍ単位の位置決め精度が求められることになる。そのために、連結する器具本体１の間隔を１ｍｍ間隔とする必要であり、連結する器具本体１の位置決めが難しくなっている。この場合、本発明に使用される連結治具４を使用することにより、連結する器具本体１の間隔について正確に位置決めを行うことができる。連結用照明装置１００の配置に対応して、第１の形態と第２の形態を組み合わせることにより、多彩な配置に対応することが可能となっている。
【００３３】
（５．スライド）
なお、連結用照明装置１００は、天井面８に対してスライド（移動）させることができる機能を付加することができる。器具本体１に設けられている２つの取付け孔１４を、長穴にすることにより、吊りボルト６との位置関係を調整することができる。それにより、例えば部屋の間仕切りを変更する場合に、連結用照明装置１００を、間仕切りの妨げにならない位置に移動させることが可能となる。さらに、間仕切り終了後にもとの部屋に戻すことも簡単にでき、多様に使用することが可能となる。
【００３４】
また、新たに吊りボルト６を設けた取付板を天井面８に固定し、取付板の吊りボルト６を用いて同様であるスライドの構造とすることも可能である。そのとき、取付板の長手方向寸法を短くすれば、スライドさせた時に、取付板が連結用照明装置１００の範囲を外れて見えることをなくすことができる。
【００３５】
（６．天井面等の被取付面への設置）
本発明の連結用照明装置１００は、以下のように被取付け面である天井面８や壁等に取り付けることができる。即ち、まず、天井面８から連結用照明装置１００の配置に合わせて、吊りボルト６が設けられており、器具本体１の電源用孔１３に合わせて、天井面８に直径１５ｍｍの孔をあけて、該孔から外部電源線５を引き出す。
【００３６】
次に、設置する連結用照明装置１００の器具本体１を、上述したように、連結治具４を用いて連結する。器具本体１は、連結した器具本体１の取付け孔１４を、天井面８からの吊りボルト６に合わせて、天井面８に位置決めして、吊りボルト６をナット７により止めることで仮止めされる。
【００３７】
更に、外部電源線５を器具本体１の電源用孔１３から引き出し、外部電源線５の２本の芯線を、送り端子付速結端子部１１に挿着する。送り端子付速結端子１１から、隣接する器具本体１の送り端子付速結端子１１に器具本体１の端部の送り孔１６を用いて配線する。これにより、天井面８から引き出す外部電源線５の配線を少なくすることが可能となる。仮止めされていた器具本体１は、吊りボルト６のナット７を本締めして、天井面８等に固定する。最後に、取付けられた器具本体１から発光ユニット２へ配線すると共に、発光ユニット２をＶ字ばね３０により固定して、連結用照明装置１００による照明システムが完成する。
【００３８】
以上のように、本実施形態では、連結治具４により照明器具１０の器具本体１の連結が行われている。これにより連結用照明装置１００は、各照明器具１０の位置関係を正確に確定することができ、天井面８に簡単に、かつ適正に取り付けることができ、施工の工数を削減でき、光を均一に照射することができると共に、良好な意匠性をも示すことができる。
【００３９】
（７．その他）
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００４０】
本発明は、事業者や店舗等の商業施設等の、比較的広範な範囲にわたって設置されるＬＥＤ照明装置として、広く適用することができる。
【符号の説明】
【００４１】
１：器具本体
１１：送り端子付速結端子
１２：係止片
１３：電源用孔
１４：取付け孔
１５：嵌合孔
１６：送り孔
２：発光ユニット
２１：透過性カバー
２２：端部透過性カバー
２３：放熱板
２４：光源基板
２６：光源
２８：電源回路
３０：Ｖ字ばね
３１：Ｖ字ばね固定部品
４：連結治具
４１：治具本体
４２：治具本体
４３：係止部
４４：係止部
５： 外部電源線
６：吊りボルト
７：ナット
８： 天井面
１０：照明器具
１００：連結用照明装置
【要約】
【課題】  複数の照明器具を連結する場合に、各照明器具の位置関係を正確に確定して、天井面に簡単に、かつ適正に取り付けることができると共に、施工の工数を削減でき、光を均一に照射する。
【解決手段】  連結用照明装置は、被取付面に取り付けられる器具本体１と、この器具本体１に装着される発光ユニット２とを備えた照明器具を複数連結させて成る。連結用照明装置１００は、複数の照明器具１０に跨って取り付けられて複数の照明器具１０を連結させる連結治具４を更に備える。この連結治具４は、複数の器具本体１に跨る治具本体４１、４２と、治具本体４１、４２から器具本体１側へ向けて延びる係止部４３、４４とから成り、この係止部４３、４４が器具本体１に設けられた嵌合孔１５に挿入されて複数の照明器具１０を連結させる。
【選択図】  図２【図１】
0005547329.tif 000002
【図２】
0005547329.tif 000003
【図３】
0005547329.tif 000004
【図４】
0005547329.tif 000005